(57)【要約】【課題】低圧ＥＧＲ通路用異物捕集装置において、異物捕集効果を十分発揮しつつ、圧力損失の増大を軽減する技術を提供する。【解決手段】低圧ＥＧＲ通路の途中に設けられる容器４１と、容器４１の上流側の低圧ＥＧＲ通路から流入する流入ガス流Ｃ１が衝突する分離板４２と、流入ガス流Ｃ１に含まれる異物であって分離板４２に衝突した異物を捕集する異物捕集部４３と、異物捕集部４３の壁部に設けられ、異物捕集部４３を流通する異物捕集部流通ガス流Ｃ２が異物捕集部４３外へ抜けるフィルタ４４と、分離板４２及び異物捕集部４３を迂回した迂回ガス流Ｃ３が容器４１の上流側の低圧ＥＧＲ通路から容器４１の下流側の低圧ＥＧＲ通路へ流通するガス流通通路４５と、を備える。【選択図】図２
2010242662.tif 000002
【特許請求の範囲】
【請求項１】
ターボチャージャのタービンよりも下流の内燃機関の排気通路から排気の一部を低圧ＥＧＲガスとして取り込み、当該低圧ＥＧＲガスを、前記ターボチャージャのコンプレッサよりも上流の前記内燃機関の吸気通路へ還流させる低圧ＥＧＲ通路の途中に設けられる容器と、
前記容器内で、前記容器の上流側の前記低圧ＥＧＲ通路から流入する流入ガス流が衝突する分離板と、
前記容器内で、前記流入ガス流に含まれる異物であって前記分離板に衝突した異物を捕集する異物捕集部と、
前記異物捕集部の少なくとも一部の壁部に設けられ、前記異物捕集部を流通する異物捕集部流通ガス流が前記異物捕集部外へ抜けるフィルタと、
前記分離板及び前記異物捕集部を迂回した迂回ガス流が前記容器の上流側の前記低圧ＥＧＲ通路から前記容器の下流側の前記低圧ＥＧＲ通路へ流通するガス流通通路と、
を備えることを特徴とする低圧ＥＧＲ通路用異物捕集装置。
【請求項２】
前記異物捕集部及び前記ガス流通通路は、前記分離板に対して同じ方向に設けられ、前記異物捕集部流通ガス流及び前記迂回ガス流は、並列して流通することを特徴とする請求項１に記載の低圧ＥＧＲ通路用異物捕集装置。
【請求項３】
前記フィルタは、前記異物捕集部の上壁部に設けられることを特徴とする請求項１又は２に記載の低圧ＥＧＲ通路用異物捕集装置。
【請求項４】
前記フィルタは、前記異物捕集部の下壁部に設けられることを特徴とする請求項１又は２に記載の低圧ＥＧＲ通路用異物捕集装置。
【請求項５】
前記フィルタは、前記異物捕集部の全壁部に設けられることを特徴とする請求項１又は２に記載の低圧ＥＧＲ通路用異物捕集装置。
【請求項６】
前記分離板は、前記流入ガス流が裏側へ抜けるフィルタ材で構成されることを特徴とする請求項１〜５のいずれか１項に記載の低圧ＥＧＲ通路用異物捕集装置。
【請求項７】
前記分離板は、上流側から前記フィルタ材の目の粗い順に複数並ぶことを特徴とする請求項６に記載の低圧ＥＧＲ通路用異物捕集装置。
【請求項８】
前記フィルタ材で構成された前記分離板及び前記フィルタを全壁部に設けられた前記異物捕集部が一体的に構成されることを特徴とする請求項６に記載の低圧ＥＧＲ通路用異物捕集装置。
【請求項９】
前記異物捕集部の底を、奥側が入口側よりも下側となるように傾斜させることを特徴とする請求項１〜８のいずれか１項に記載の低圧ＥＧＲ通路用異物捕集装置。
【請求項１０】
前記異物捕集部の底を、奥側が入口側よりも下側に深くなるように段差を設けることを特徴とする請求項１〜８のいずれか１項に記載の低圧ＥＧＲ通路用異物捕集装置。
【請求項１１】
前記異物捕集部の入口手前の前記容器の底を、前記異物捕集部側が前記異物捕集部の上流側よりも下側となるように傾斜させることを特徴とする請求項１〜１０のいずれか１項に記載の低圧ＥＧＲ通路用異物捕集装置。
【請求項１２】
前記分離板を、前記異物捕集部及び前記ガス流通通路に近い側が前記異物捕集部及び前
記ガス流通通路から遠い側よりも上流側となるように傾斜させることを特徴とする請求項１〜１１のいずれか１項に記載の低圧ＥＧＲ通路用異物捕集装置。
【請求項１３】
前記容器の内面を、前記異物捕集部流通ガス流又は前記迂回ガス流の流通を阻害しない曲面とすることを特徴とする請求項１〜１２のいずれか１項に記載の低圧ＥＧＲ通路用異物捕集装置。
【請求項１４】
前記分離板は、前記異物捕集部の一部の壁部を兼ね、前記異物捕集部に流入した前記流入ガス流が前記分離板に衝突することを特徴とする請求項１〜１３のいずれか１項に記載の低圧ＥＧＲ通路用異物捕集装置。
【発明の詳細な説明】
【技術分野】
【０００１】
本発明は、低圧ＥＧＲ通路用異物捕集装置に関する。
【背景技術】
【０００２】
ターボチャージャのタービンよりも下流の内燃機関の排気通路から排気の一部を低圧ＥＧＲガスとして取り込み、当該低圧ＥＧＲガスを、ターボチャージャのコンプレッサよりも上流の内燃機関の吸気通路へ還流させる低圧ＥＧＲ通路を備える場合がある。この低圧ＥＧＲ通路の途中に、当該低圧ＥＧＲ通路よりも下方に位置する異物捕集容器を備える技術が開示されている（例えば、特許文献１参照）。これによれば、低圧ＥＧＲ通路を流通する低圧ＥＧＲガスに含まれる異物が、自重により異物捕集容器に落下し、異物を捕集できる。
【先行技術文献】
【特許文献】
【０００３】
【特許文献１】特開２００８−１５０９５５号公報
【特許文献２】特開２００８−８８８１７号公報
【特許文献３】特開２００３−５６４１２号公報
【特許文献４】特開平７−７１３２９号公報
【特許文献５】特開２００８−１８０１９１号公報
【特許文献６】特開２０００−１７０６０８号公報
【発明の概要】
【発明が解決しようとする課題】
【０００４】
しかしながら、上記の技術においては、異物の捕集は、異物の自重による落下にのみ委ねられており、異物捕集効果を十分得ることができなかった。これに対し、低圧ＥＧＲガスの流路断面を覆うフィルタ等を配置し、フィルタ等で異物を捕集することも考えられるが、これを単純に適用するのみでは、低圧ＥＧＲガスの流通を阻害してしまい、圧力損失が増大してしまう。
【０００５】
本発明は上記問題点に鑑みたものであり、本発明の目的は、低圧ＥＧＲ通路用異物捕集装置において、異物捕集効果を十分発揮しつつ、圧力損失の増大を軽減する技術を提供することにある。
【課題を解決するための手段】
【０００６】
本発明にあっては、以下の構成を採用する。すなわち、本発明は、
ターボチャージャのタービンよりも下流の内燃機関の排気通路から排気の一部を低圧ＥＧＲガスとして取り込み、当該低圧ＥＧＲガスを、前記ターボチャージャのコンプレッサよりも上流の前記内燃機関の吸気通路へ還流させる低圧ＥＧＲ通路の途中に設けられる容器と、
前記容器内で、前記容器の上流側の前記低圧ＥＧＲ通路から流入する流入ガス流が衝突する分離板と、
前記容器内で、前記流入ガス流に含まれる異物であって前記分離板に衝突した異物を捕集する異物捕集部と、
前記異物捕集部の少なくとも一部の壁部に設けられ、前記異物捕集部を流通する異物捕集部流通ガス流が前記異物捕集部外へ抜けるフィルタと、
前記分離板及び前記異物捕集部を迂回した迂回ガス流が前記容器の上流側の前記低圧ＥＧＲ通路から前記容器の下流側の前記低圧ＥＧＲ通路へ流通するガス流通通路と、
を備えることを特徴とする低圧ＥＧＲ通路用異物捕集装置である。
【０００７】
本発明によると、異物を分離板に衝突させた後に異物の自重や流体力によって異物捕集部に導き、さらに異物捕集部ではフィルタを介して異物捕集部を通過する異物捕集部流通ガス流が異物を異物捕集部に留まらせる。これにより、異物は確実に異物捕集部に捕集されるので、異物捕集効果を十分に発揮できる。
【０００８】
また一方で、分離板及び異物捕集部を迂回した迂回ガス流が流通するガス流通通路が確保されているので、低圧ＥＧＲガスの流通は阻害されず、圧力損失の増大を軽減できる。
【０００９】
前記異物捕集部及び前記ガス流通通路は、前記分離板に対して同じ方向に設けられ、前記異物捕集部流通ガス流及び前記迂回ガス流は、並列して流通するとよい。
【００１０】
本発明によると、異物捕集部流通ガス流及び迂回ガス流が並列して流通するので、両者のガス流が、打ち消し合ったり乱流を形成したりすることなく勢いを維持できる。これにより、異物捕集部流通ガス流によって異物を異物捕集部に導くと共に異物を異物捕集部に留まらせることと、迂回ガス流によって低圧ＥＧＲガスの流通を阻害しないこととが、より効果的に実現できる。
【００１１】
前記フィルタは、前記異物捕集部の上壁部に設けられるとよい。
【００１２】
本発明によると、異物捕集部流通ガス流は、異物捕集部から上方向に抜ける。このため、異物捕集部に導かれた多くの異物は、上方向に向かう異物捕集部流通ガス流から分離して異物捕集部に留まる。また、異物捕集部に導かれた少しの異物が、上方向に向かう異物捕集部流通ガス流に乗っても、フィルタに阻まれ異物捕集部に留まる。
【００１３】
前記フィルタは、前記異物捕集部の下壁部に設けられるとよい。
【００１４】
本発明によると、異物捕集部流通ガス流は、異物捕集部から下方向に抜ける。このため、異物捕集部に導かれた異物は、下方向に向かう異物捕集部流通ガス流によってフィルタに押し付けられ異物捕集部に留まる。
【００１５】
前記フィルタは、前記異物捕集部の全壁部に設けられるとよい。
【００１６】
本発明によると、異物捕集部流通ガス流は、異物捕集部の壁部によって勢いを削がれ難くなる。
【００１７】
前記分離板は、前記流入ガス流が裏側へ抜けるフィルタ材で構成されるとよい。
【００１８】
本発明によると、流入ガス流が、フィルタ材で構成された分離板を抜けるので、低圧ＥＧＲガスの流通はより阻害されず、圧力損失の増大をより軽減できる。
【００１９】
前記分離板は、上流側から前記フィルタ材の目の粗い順に複数並ぶとよい。
【００２０】
本発明によると、目の粗いフィルタ材の分離板は、大きな異物が衝突して破損しないように強度の高い太線素材を用い、目の細かいフィルタ材の分離板は、大きな異物が衝突しないので強度の低い細線素材を用いることができる。これによって、目の細かいフィルタ材の分離板では、細線素材のため、目の数を増加させることができる。よって、流入ガス流が目の細かいフィルタ材で構成された分離板をも抜け易くなるので、低圧ＥＧＲガスの流通はより阻害されず、圧力損失の増大をより軽減できる。
【００２１】
前記フィルタ材で構成された前記分離板及び前記フィルタを全壁部に設けられた前記異物捕集部が一体的に構成されるとよい。
【００２２】
本発明によると、流入ガス流が、フィルタ材で構成された分離板を抜けると共に、異物捕集部流通ガス流は、フィルタを全壁部に設けられた異物捕集部によって勢いを削がれ難くなるので、低圧ＥＧＲガスの流通はより阻害されず、圧力損失の増大をより軽減できる。
【００２３】
前記異物捕集部の底を、奥側が入口側よりも下側となるように傾斜させるとよい。
【００２４】
本発明によると、異物捕集部に導かれた異物は、傾斜に沿って異物捕集部のより奥側へ向かい、異物捕集部に留まる。
【００２５】
前記異物捕集部の底を、奥側が入口側よりも下側に深くなるように段差を設けるとよい。
【００２６】
本発明によると、異物捕集部に導かれた異物は、段差によって異物捕集部の入口側へ移動できず、異物捕集部に留まる。
【００２７】
前記異物捕集部の入口手前の前記容器の底を、前記異物捕集部側が前記異物捕集部の上流側よりも下側となるように傾斜させるとよい。
【００２８】
本発明によると、分離板に衝突して容器の底へ落下した異物は、傾斜に沿って異物捕集部に導かれる。
【００２９】
前記分離板を、前記異物捕集部及び前記ガス流通通路に近い側が前記異物捕集部及び前記ガス流通通路から遠い側よりも上流側となるように傾斜させるとよい。
【００３０】
本発明によると、分離板に衝突した異物をより上流側から異物捕集部流通ガス流に乗せることができ、異物捕集部に導き易くなる。
【００３１】
前記容器の内面を、前記異物捕集部流通ガス流又は前記迂回ガス流の流通を阻害しない曲面とするとよい。
【００３２】
本発明によると、異物捕集部流通ガス流又は迂回ガス流の流通が阻害されないので、ガス流は、容器の内面に衝突して勢いを削がれたり乱流を形成したりすることなく勢いを維持できる。
【００３３】
前記分離板は、前記異物捕集部の一部の壁部を兼ね、前記異物捕集部に流入した前記流入ガス流が前記分離板に衝突するとよい。
【００３４】
本発明によると、流入ガス流が分離板に衝突する前に異物捕集部に流入し、流入ガス流に含まれる異物も初めから異物捕集部に導かれるので、異物が異物捕集部に留まり易い。
【発明の効果】
【００３５】
本発明によると、低圧ＥＧＲ通路用異物捕集装置において、異物捕集効果を十分発揮できると共に、圧力損失を増大させずに済む。
【図面の簡単な説明】
【００３６】
【図１】実施例１に係る内燃機関及びその吸気系・排気系の概略構成を示す図である。
【図２】実施例１に係る異物捕集装置の概略構成を示す図である。
【図３】実施例２に係る異物捕集装置の概略構成を示す図である。
【図４】実施例３に係る異物捕集装置の概略構成を示す図である。
【図５】実施例４に係る異物捕集装置の概略構成を示す図である。
【図６】実施例５に係る異物捕集装置の概略構成を示す図である。
【図７】実施例６に係る異物捕集装置の概略構成を示す図である。
【図８】実施例７に係る異物捕集装置の概略構成を示す図である。
【図９】実施例８に係る異物捕集装置の概略構成を示す図である。
【図１０】実施例９に係る異物捕集装置の概略構成を示す図である。
【図１１】実施例１０に係る異物捕集装置の概略構成を示す図である。
【図１２】実施例１１に係る異物捕集装置の概略構成を示す図である。
【図１３】実施例１２に係る異物捕集装置の概略構成を示す図である。
【図１４】実施例１３に係る異物捕集装置の概略構成を示す図である。
【図１５】実施例１４に係る異物捕集装置の概略構成を示す図である。
【発明を実施するための形態】
【００３７】
以下に本発明の具体的な実施例を説明する。
【００３８】
＜実施例１＞
図１は、本実施例に係る低圧ＥＧＲ通路用異物捕集装置を適用する内燃機関及びその吸気系・排気系の概略構成を示す図である。
【００３９】
図１に示す内燃機関１は、ピストンと共に燃焼室を形成する気筒２を４つ有する水冷式の４ストロークサイクル・ディーゼルエンジンである。内燃機関１は、車両に搭載されている。内燃機関１の各気筒２には、適宜の量及びタイミングで燃料を噴射する燃料噴射弁３が配置されている。内燃機関１には、吸気通路４及び排気通路５が接続されている。
【００４０】
内燃機関１に接続された吸気通路４の途中には、排気のエネルギを駆動源として作動するターボチャージャ６のコンプレッサ６ａが配置されている。コンプレッサ６ａよりも上流の吸気通路４には、吸気通路４内を流通する新気の量に応じた信号を出力するエアフローメータ７が配置されている。エアフローメータ７により、内燃機関１の吸入空気量（新気量）が測定される。コンプレッサ６ａよりも下流の吸気通路４には、吸気と外気とで熱交換を行うインタークーラ８が配置されている。これら吸気通路４及びそれに配置された機器が内燃機関１に吸気を取り入れるための吸気系を構成している。
【００４１】
一方、内燃機関１に接続された排気通路５の途中には、ターボチャージャ６のタービン６ｂが配置されている。タービン６ｂは排気通路５を流れる排気によって駆動され、コンプレッサ６ａは駆動されたタービン６ｂと共に回転して吸気通路４を流れる吸気を過給する。タービン６ｂよりも下流の排気通路５には、排気浄化装置９が配置されている。排気浄化装置９は、酸化触媒と当該酸化触媒の後段に配置されたパティキュレートフィルタ（以下単にフィルタという）とを有して構成されている。フィルタは、排気浄化装置９に流入する排気に含有される排気系異物としてのＰＭ（粒子状物質、煤）を捕集して排気を浄化する。フィルタには吸蔵還元型ＮＯｘ触媒が担持される場合がある。これら排気通路５及びそれに配置された機器が内燃機関１から排気を排出させるための排気系を構成している。
【００４２】
内燃機関１には、排気通路５内を流通する排気の一部を高圧で吸気通路４へ還流（再循環）させる高圧ＥＧＲ装置２０が備えられている。高圧ＥＧＲ装置２０は、高圧ＥＧＲ通
路２１及び高圧ＥＧＲ弁２２を備えて構成される。高圧ＥＧＲ通路２１は、タービン６ｂよりも上流の排気通路５と、インタークーラ８よりも下流の吸気通路４と、を接続している。高圧ＥＧＲ通路２１を通って、排気が高圧で内燃機関１へ送り込まれる。高圧ＥＧＲ通路２１を流通して還流される排気が高圧ＥＧＲガスである。高圧ＥＧＲ弁２２は、高圧ＥＧＲ通路２１の通路断面積を調整することにより、高圧ＥＧＲ通路２１を流通する高圧ＥＧＲガスの量を調節する。高圧ＥＧＲ弁２２は、電動アクチュエータにより開閉される。
【００４３】
内燃機関１には、排気通路５内を流通する排気の一部を低圧で吸気通路４へ還流（再循環）させる低圧ＥＧＲ装置３０が備えられている。低圧ＥＧＲ装置３０は、低圧ＥＧＲ通路３１、低圧ＥＧＲ弁３２、低圧ＥＧＲクーラ３３、及び異物捕集装置４０を備えて構成される。
【００４４】
低圧ＥＧＲ通路３１は、排気浄化装置９よりも下流の排気通路５と、コンプレッサ６ａよりも上流且つエアフローメータ７よりも下流の吸気通路４と、を接続している。低圧ＥＧＲ通路３１を通って、排気が低圧で内燃機関１へ送り込まれる。低圧ＥＧＲ通路３１を流通して還流される排気が低圧ＥＧＲガスである。低圧ＥＧＲ弁３２は、低圧ＥＧＲ通路３１の通路断面積を調整することにより、低圧ＥＧＲ通路３１を流通する低圧ＥＧＲガスの量を調節する。低圧ＥＧＲ弁３２は、電動アクチュエータにより開閉される。低圧ＥＧＲクーラ３３は、低圧ＥＧＲ通路３１に配置され、低圧ＥＧＲガスと機関冷却水とで熱交換を行い、低圧ＥＧＲ通路３１を流通する低圧ＥＧＲガスを冷却する。これにより、低圧ＥＧＲガスの温度を内燃機関１の燃焼温度を低下させることが可能な温度に維持する又は低下させる。
【００４５】
異物捕集装置４０は、低圧ＥＧＲクーラ３３の下流側の低圧ＥＧＲ通路３１に配置され、低圧ＥＧＲ通路３１を流通する低圧ＥＧＲガス中に含まれる異物を捕集する。異物捕集装置４０が本発明の低圧ＥＧＲ通路用異物捕集装置に相当する。なお、本実施例では、異物捕集装置４０は、低圧ＥＧＲクーラ３３の下流側の低圧ＥＧＲ通路３１に配置される構成としたが、これに限られない。異物捕集装置４０は、低圧ＥＧＲクーラ３３の上流側の低圧ＥＧＲ通路３１に配置される構成であってもよい。要は、異物捕集装置４０は、低圧ＥＧＲ通路３１の途中に配置されればよい。
【００４６】
低圧ＥＧＲガス中に含まれる異物としては、溶接スパッタ、排気浄化装置９が破損した際のコージェライト等といったセラミックス、或いは、排気通路５から剥離等した鉄系の異物等が挙げられる。このような異物は、低圧ＥＧＲガスと共に低圧ＥＧＲ通路３１を還流してしまうと、コンプレッサ６ａよりも上流の吸気通路４に戻される。そして、異物は、コンプレッサ６ａに流入し、コンプレッサ６ａのインペラ等を破損させてしまうおそれがある。そのため、異物を異物捕集装置４０で捕集するようにしている。
【００４７】
異物捕集装置４０は、図２に示すように、容器４１と、分離板４２と、異物捕集部４３と、フィルタ４４と、ガス流通通路４５と、を備えて構成される。本実施例では、異物捕集装置４０は、低圧ＥＧＲ通路３１を流通する低圧ＥＧＲガスが図示右側から図示左側へ横方向に流通する位置に設けられる。
【００４８】
容器４１は、低圧ＥＧＲ通路３１の管径よりも大きく、容器４１よりも上流側及び下流側の低圧ＥＧＲ通路３１が容器４１の上部にそれぞれ接続され、低圧ＥＧＲガスが図示右側から図示左側へ横方向に流通する。
【００４９】
分離板４２は、容器４１内の低圧ＥＧＲガスの流れ方向中央部において、容器４１の天面から下方へ伸びている。分離板４２には、容器４１よりも上流側の低圧ＥＧＲ通路３１
から流入する流入ガス流Ｃ１が衝突し、流入ガス流Ｃ１は分離板４２の裏側へ抜けない。分離板４２には、流入ガス流Ｃ１に含まれる異物も衝突する。
【００５０】
異物捕集部４３は、容器４１内の低圧ＥＧＲガスの流れ方向中央部から下流側にかけて、容器４１内の下部に形成されている。異物捕集部４３は、フィルタ４４を上壁部とし、容器４１の底面を下壁部とし、容器４１の側面を紙面垂直方向端側壁部及び下流側側壁部とし、上流側側部に入口が設けられている。フィルタ４４の入口側端部には、当該入口を上流側程小さくするように、傾斜板４６が配置されている。
【００５１】
フィルタ４４は、異物捕集部４３の上壁部に設けられている。フィルタ４４は、例えば金属製網目状のもの等であり、異物は通過させないが、分離板４２に衝突した流入ガス流Ｃ１から派生して異物捕集部４３を流通する異物捕集部流通ガス流Ｃ２が異物捕集部４３外へ抜ける。本実施例では、フィルタ４４が異物捕集部４３の上壁部に設けられているので、異物捕集部流通ガス流Ｃ２は、異物捕集部４３から上方向に抜ける。このため、異物捕集部４３に導かれた多くの異物は、重いため浮き上がらず、上方向に向かう異物捕集部流通ガス流Ｃ２から分離して異物捕集部４３の底に堆積する。また、異物捕集部４３に導かれた少しの異物が、上方向に向かう異物捕集部流通ガス流Ｃ２に乗っても、フィルタ４４に阻まれ異物捕集部４３に留まる。このように、フィルタ４４で異物を捕集する量が少ないので、フィルタ４４が目詰まりせず、異物捕集部流通ガス流Ｃ２の勢いが削がれ難く、低圧ＥＧＲガスの流通は阻害されず、圧力損失の増大を軽減できる。
【００５２】
ガス流通通路４５は、上側の分離板４２と下側の異物捕集部４３との間の隙間を用いて形成される。ガス流通通路４５では、分離板４２に衝突した流入ガス流Ｃ１から派生して分離板４２及び異物捕集部４３を迂回した迂回ガス流Ｃ３が、容器４１の上流側の低圧ＥＧＲ通路３１から容器４１の下流側の低圧ＥＧＲ通路３１へ流通する。
【００５３】
異物捕集部４３及びガス流通通路４５は、分離板４２に対して同じ下方向に設けられている。ここで、ガス流通通路４５が異物捕集部４３よりも上方である。これにより、分離板４２に衝突した流入ガス流Ｃ１から派生した異物捕集部流通ガス流Ｃ２及び迂回ガス流Ｃ３は、容器４１内で一旦下方向を向きその後上方向を向くような流れで、迂回ガス流Ｃ３が上層且つ異物捕集部流通ガス流Ｃ２が下層となるように並列して流通する。
【００５４】
以上述べたように構成された内燃機関１には、該内燃機関１を制御するための電子制御ユニットであるＥＣＵ１０が併設されている。ＥＣＵ１０は、内燃機関１の運転条件や運転者の要求に応じて内燃機関１の運転状態を制御するユニットである。ＥＣＵ１０には、エアフローメータ７の他、クランクポジションセンサ１１及びアクセルポジションセンサ１２が電気配線を介して接続され、これら各種センサの出力信号がＥＣＵ１０に入力される。一方、ＥＣＵ１０には、燃料噴射弁３、並びに、高圧ＥＧＲ弁２２及び低圧ＥＧＲ弁３２の各アクチュエータが電気配線を介して接続されており、ＥＣＵ１０によりこれらの機器が制御される。
【００５５】
以上説明した本実施例によると、異物捕集装置４０では、異物を、分離板４２に衝突させた後に、異物の自重や、異物捕集部流通ガス流Ｃ２の流体力によって、異物捕集部４３に導く。さらに異物捕集部４３では、フィルタ４４を介して異物捕集部４３を通過する異物捕集部流通ガス流Ｃ２が、異物を異物捕集部４３に留まらせる。これにより、異物は確実に異物捕集部４３に捕集されるので、異物捕集効果を十分に発揮できる。
【００５６】
また一方で、異物捕集装置４０では、分離板４２及び異物捕集部４３を迂回した迂回ガス流Ｃ３が流通するガス流通通路４５が確保されているので、低圧ＥＧＲガスの流通は阻害されず、圧力損失の増大を軽減できる。
【００５７】
また本実施例によると、異物捕集装置４０では、異物捕集部流通ガス流Ｃ２及び迂回ガス流Ｃ３が並列して流通するので、両者のガス流が、打ち消し合ったり乱流を形成したりすることなく勢いを維持できる。これにより、異物捕集部流通ガス流Ｃ２によって異物を異物捕集部４３に導くと共に異物を異物捕集部４３に留まらせることと、迂回ガス流Ｃ３によって低圧ＥＧＲガスの流通を阻害しないこととが、より効果的に実現できる。
【００５８】
＜実施例２＞
次に実施例２を説明する。本実施例では、異物捕集装置４０内の構成が異なるだけであるのでその相違点について説明し、上記実施例と同様な点については説明を省略する。本実施例では、異物捕集装置４０は、実施例１に対し異物捕集部４３の構成及び配置が異なる。
【００５９】
図３に示すように、異物捕集部４３は、容器４１内の低圧ＥＧＲガスの流れ方向上流側から中央部にかけて、容器４１内の下方であるが、異物捕集部４３の下壁部と容器４１の底面との間に隙間を有するように形成されている。異物捕集部４３は、フィルタ４４を下壁部とし、容器４１の側面を上流側側壁部及び紙面垂直方向端側壁部とし、下流側側部には側壁を設けて下流側側壁部４７とし、上部に入口が設けられている。
【００６０】
フィルタ４４は、異物捕集部４３の下壁部に設けられている。このため、異物捕集部流通ガス流Ｃ２は、異物捕集部４３から下方向に抜け、異物捕集部４３の下壁部と容器４１の底面との間の隙間を通過する。このため、異物捕集部４３に導かれた異物は、下方向に向かう異物捕集部流通ガス流Ｃ２によってフィルタ４４に押し付けられ異物捕集部４３に留まるので、異物の捕集率が高く維持できる。
【００６１】
以上説明した本実施例によると、分離板４２に衝突した異物を、異物の自重及び異物捕集部流通ガス流Ｃ２の流体力によって、異物捕集部４３に導くので、異物捕集の確実性が向上する。
【００６２】
＜実施例３＞
次に実施例３を説明する。本実施例では、異物捕集装置４０内の構成が異なるだけであるのでその相違点について説明し、上記実施例と同様な点については説明を省略する。
【００６３】
図４に示すように、分離板４２ａは、例えば金属製網目状のもの等であり、異物は通過させないが、流入ガス流Ｃ１が裏側へ抜けるフィルタ材で構成される。このように、流入ガス流Ｃ１が、フィルタ材で構成された分離板４２ａを抜けるので、低圧ＥＧＲガスの流通は阻害されず、圧力損失の増大を軽減できる。
【００６４】
異物捕集部４３は、分離板４２ａの下端部に、ポケット状にぶら下がっている。異物捕集部４３は、フィルタ４４を下壁部とし、分離板４２ａから伸びる側壁を下流側側壁部４８とし、容器４１の側面を紙面垂直方向端側壁部とし、上流側側部には側壁を設けて上流側側壁部４９とし、上部に入口が設けられている。
【００６５】
ガス流通通路４５は、異物捕集部４３の周りの隙間を用いて形成される。異物捕集部４３及びガス流通通路４５は、分離板４２ａに対して同じ下方向に設けられている。ここで、異物捕集部４３がガス流通通路４５よりも上方である。これにより、分離板４２ａに衝突した流入ガス流Ｃ１から派生した異物捕集部流通ガス流Ｃ２及び迂回ガス流Ｃ３は、容器４１内で一旦下方向を向きその後上方向を向くような流れで、異物捕集部流通ガス流Ｃ２が上層且つ迂回ガス流Ｃ３が下層となるように並列して流通する。
【００６６】
以上説明した本実施例によると、フィルタ材で構成された分離板４２ａで異物を捕集することができ、分離板４２ａで捕集しきれず落下する異物を異物捕集部４３で捕集することができる。
【００６７】
＜実施例４＞
次に実施例４を説明する。本実施例では、異物捕集装置４０内の構成が異なるだけであるのでその相違点について説明し、上記実施例と同様な点については説明を省略する。本実施例では、異物捕集装置４０は、実施例３に対し分離板４２ｂ，４２ｃの構成及び数並びに異物捕集部４３の数が異なる。
【００６８】
図５に示すように、分離板４２ｂ，４２ｃは、上流側からフィルタ材の目の粗い順に２つ並ぶ。上流側分離板４２ｂは、目の粗いフィルタ材であり、大きな異物が衝突して破損しないように強度の高い太線素材を用いて構成される。下流側分離板４２ｃは、目の細かいフィルタ材であり、大きな異物は上流側分離板４２ｂで除去され大きな異物が衝突しないので強度の低い細線素材を用いて構成される。下流側分離板４２ｃは、細線素材のため、目の数を増加させることができる。よって、流入ガス流Ｃ１が目の細かいフィルタ材で構成された下流側分離板４２ｃをも抜け易くなるので、低圧ＥＧＲガスの流通は阻害されず、圧力損失の増大を軽減できる。
【００６９】
異物捕集部４３は、上流側分離板４２ｂ及び下流側分離板４２ｃのそれぞれの下端部に、ポケット状にぶら下がっている。
【００７０】
以上説明した本実施例によると、フィルタ材で構成された上流側分離板４２ｂ及び下流側分離板４２ｃで大きさに応じて異物を捕集することができ、下流側分離板４２ｃに細線素材を用いることで、圧力損失の増大を軽減できる。
【００７１】
＜実施例５＞
次に実施例５を説明する。本実施例では、異物捕集装置４０内の構成が異なるだけであるのでその相違点について説明し、上記実施例と同様な点については説明を省略する。本実施例では、異物捕集装置４０は、実施例３に対し分離板４２ａ及び異物捕集部４３の構成が異なる。
【００７２】
図６に示すように、本実施例では、フィルタ材で構成された分離板４２ａ及びフィルタ４４を全壁部に設けられた異物捕集部４３が一体的に構成される。分離板４２ａ及び異物捕集部４３は、湾曲した袋状に一体となり、容器４１内の低圧ＥＧＲガスの流れ方向中央部において、容器４１の天面から下方にぶら下がっている。分離板４２ａ及び異物捕集部４３は、容器４１の側面を紙面垂直方向端側壁部としている。
【００７３】
以上説明した本実施例によると、流入ガス流Ｃ１が、フィルタ材で構成された分離板４２ａを抜けると共に、異物捕集部流通ガス流Ｃ２は、フィルタ４４を全壁部に設けられた異物捕集部４３によって勢いを削がれ難くなるので、低圧ＥＧＲガスの流通は阻害されず、圧力損失の増大をより軽減できる。
【００７４】
＜実施例６＞
次に実施例６を説明する。本実施例では、異物捕集装置４０内の構成が異なるだけであるのでその相違点について説明し、上記実施例と同様な点については説明を省略する。本実施例では、異物捕集装置４０は、実施例１に対し分離板４２及び容器４１の形状が異なる。
【００７５】
図７に示すように、分離板４２は、異物捕集部４３及びガス流通通路４５に近い下側が
、異物捕集部４３及びガス流通通路４５から遠い上側よりも上流側となるように傾斜している。よって、分離板４２に衝突した異物をより上流側から異物捕集部流通ガス流Ｃ２に乗せることができ、異物捕集部４３に導き易くなる。
【００７６】
容器４１の底面は、下流側が上流側よりも下側となるように傾斜している。これにより、異物捕集部４３の底が、奥側が入口側よりも下側となるように傾斜することとなる。よって、異物捕集部４３に導かれた異物は、傾斜に沿って異物捕集部４３のより奥側へ向かい、異物捕集部４３に留まる。また、異物捕集部４３の入口手前の容器４１の底が、異物捕集部４３側が異物捕集部４３の上流側よりも下側となるように傾斜することとなる。よって、分離板４２に衝突して容器４１の底へ落下した異物は、傾斜に沿って異物捕集部４３に導かれる。
【００７７】
なお、実施例１でフィルタ４４の入口側端部に配置されていた傾斜板は、本実施例では設けられていない。
【００７８】
以上説明した本実施例によると、異物を異物捕集部４３に導き易く、異物捕集の確実性を高めることができる。
【００７９】
＜実施例７＞
次に実施例７を説明する。本実施例では、異物捕集装置４０内の構成が異なるだけであるのでその相違点について説明し、上記実施例と同様な点については説明を省略する。本実施例では、異物捕集装置４０は、実施例６に対し容器４１の形状が異なる。
【００８０】
図８に示すように、異物捕集部４３の入口手前の容器４１の底面が、異物捕集部４３側が異物捕集部４３の上流側よりも下側となるように傾斜している。よって、分離板４２に衝突して容器４１の底へ落下した異物は、傾斜に沿って異物捕集部４３に導かれる。しかし、実施例６とは異なり、異物捕集部４３の形成された容器４１の底面は、傾斜せず水平である。
【００８１】
以上説明した本実施例によると、異物を異物捕集部４３に導き易く、異物捕集の確実性を高めることができる。
【００８２】
＜実施例８＞
次に実施例８を説明する。本実施例では、異物捕集装置４０内の構成が異なるだけであるのでその相違点について説明し、上記実施例と同様な点については説明を省略する。本実施例では、異物捕集装置４０は、実施例６に対し容器４１の形状が異なる。
【００８３】
図９に示すように、異物捕集部４３の底となる容器４１の底面には、異物捕集部４３の奥側が入口側よりも下側に深くなるように段差５０が設けられている。よって、異物捕集部４３に導かれた異物は、段差５０によって異物捕集部４３の入口側へ移動できず、異物捕集部４３に留まる。
【００８４】
なお、実施例６で設けられていなかった、実施例１でフィルタ４４の入口側端部に配置されていた傾斜板４６は、本実施例では設けられている。
【００８５】
以上説明した本実施例によると、異物を異物捕集部４３に留めておき易く、異物捕集の確実性を高めることができる。
【００８６】
＜実施例９＞
次に実施例９を説明する。本実施例では、異物捕集装置４０内の構成が異なるだけであ
るのでその相違点について説明し、上記実施例と同様な点については説明を省略する。本実施例では、異物捕集装置４０は、低圧ＥＧＲ通路３１を流通する低圧ＥＧＲガスが下方から上方へ縦方向に流通する位置に設けられる。
【００８７】
図１０に示すように、容器４１は、低圧ＥＧＲ通路３１の管径よりも大きく、容器４１よりも上流側の低圧ＥＧＲ通路３１が容器４１の図示右側側部の下方に接続され、容器４１よりも下流側の低圧ＥＧＲ通路３１が容器４１の図示右側側部の上方に接続される。そして、低圧ＥＧＲガスが下方から上方へ縦方向に流通する。
【００８８】
分離板４２は、容器４１内の低圧ＥＧＲガスの流れ方向中央部において、容器４１の図示右側側面から図示左側へ伸びている。分離板４２は、流入ガス流Ｃ１が分離板４２の裏側へ抜けないものである。
【００８９】
異物捕集部４３は、容器４１内の低圧ＥＧＲガスの流れ方向上流側から中央部にかけて、容器４１内の図示左側に形成されている。異物捕集部４３は、フィルタ４４を上壁部とし、容器４１の底面を下壁部とし、容器の側面を紙面垂直方向端側壁部及び図示左側側壁部とし、図示右側側部に入口が設けられている。異物捕集部４３の入口付近における容器４１の上流側の低圧ＥＧＲ通路３１との接続位置の境には、容器４１内の凝縮水を容器４１の上流側の低圧ＥＧＲ通路３１に排出するように、凝縮水排出フィルタ５１が配置されている。凝縮水排出フィルタ５１は、凝縮水を通過させるが、異物は通過させない。よって、異物捕集部４３から凝縮水と共に異物を、容器４１の上流側の低圧ＥＧＲ通路３１に排出してしまうことはない。
【００９０】
フィルタ４４は、異物捕集部４３の上壁部に設けられている。フィルタ４４は、例えば金属製網目状のもの等であり、異物は通過させないが、分離板４２に衝突した流入ガス流Ｃ１から派生して異物捕集部４３を流通する異物捕集部流通ガス流Ｃ２が異物捕集部４３外へ抜ける。本実施例では、フィルタ４４が異物捕集部４３の上壁部に設けられているので、異物捕集部流通ガス流Ｃ２は、異物捕集部４３から上方向に抜ける。このため、異物捕集部４３に導かれた多くの異物は、重いため浮き上がらず、上方向に向かう異物捕集部流通ガス流Ｃ２から分離して異物捕集部４３の底に堆積する。また、異物捕集部４３に導かれた少しの異物が、上方向に向かう異物捕集部流通ガス流Ｃ２に乗っても、フィルタ４４に阻まれ異物捕集部４３に留まる。このように、フィルタ４４で異物を捕集する量が少ないので、フィルタ４４が目詰まりせず、異物捕集部流通ガス流Ｃ２の勢いが削がれ難く、低圧ＥＧＲガスの流通は阻害されず、圧力損失の増大を軽減できる。
【００９１】
ガス流通通路４５は、図示右側の分離板４２と図示左側の異物捕集部４３との間の隙間を用いて形成される。ガス流通通路４５では、分離板４２に衝突した流入ガス流Ｃ１から派生して分離板４２及び異物捕集部４３を迂回した迂回ガス流Ｃ３が、下方の上流側の低圧ＥＧＲ通路３１から上方の下流側の前記低圧ＥＧＲ通路３１へ流通する。
【００９２】
異物捕集部４３及びガス流通通路４５は、分離板４２に対して同じ図示左方向に設けられている。ここで、ガス流通通路４５が異物捕集部４３よりも図示右側である。これにより、分離板４２に衝突した流入ガス流Ｃ１から派生した異物捕集部流通ガス流Ｃ２及び迂回ガス流Ｃ３は、容器４１内で一旦図示左方向を向きその後図示右方向を向くような流れで、迂回ガス流Ｃ３が右層且つ異物捕集部流通ガス流Ｃ２が左層となるように並列して流通する。
【００９３】
以上説明した本実施例によると、容器４１内から容器４１の上流側の低圧ＥＧＲ通路３１に凝縮水を排出するので、容器４１内に凝縮水が溜まることを防止できる。
【００９４】
＜実施例１０＞
次に実施例１０を説明する。本実施例では、異物捕集装置４０内の構成が異なるだけであるのでその相違点について説明し、上記実施例と同様な点については説明を省略する。本実施例では、異物捕集装置４０は、実施例９に対し分離板４２、容器４１及び凝縮水排出フィルタ５１ａの形状が異なる。
【００９５】
図１１に示すように、分離板４２は、異物捕集部４３及びガス流通通路４５に近い図示左側が、異物捕集部４３及びガス流通通路４５から遠い図示右側よりも上流側となるように傾斜している。よって、分離板４２に衝突した異物をより上流側から異物捕集部流通ガス流Ｃ２に乗せることができ、異物捕集部４３に導き易くなる。
【００９６】
容器４１の底面は、容器４１の上流側の低圧ＥＧＲ通路３１に近い図示右側が、図示左側よりも下側となるように傾斜している。よって、容器４１内の凝縮水を容器４１の上流側の低圧ＥＧＲ通路３１により排出し易くなっている。
【００９７】
凝縮水排出フィルタ５１ａは、山形に設けられ、頂部よりも図示右側は上下に真っ直ぐに伸び容器４１の上流側の低圧ＥＧＲ通路３１との接続位置の境に至っており、頂部よりも図示左側は、図示左側が図示右側よりも下側となるように傾斜している。これにより、凝縮水排出フィルタ５１ａの設けられた異物捕集部４３の底が、異物捕集部４３の奥側が入口側よりも下側となるように傾斜することとなる。よって、異物捕集部４３に導かれた異物は、傾斜に沿って異物捕集部４３のより奥側へ向かい、異物捕集部に留まる。また、異物捕集部４３の入口手前の凝縮水排出フィルタ５１ａが、異物捕集部４３側が異物捕集部４３の上流側よりも下側となるように傾斜することとなる。よって、分離板４２に衝突して凝縮水排出フィルタ５１ａ上へ落下した異物は、傾斜に沿って異物捕集部４３に導かれる。
【００９８】
以上説明した本実施例によると、容器４１の底面が傾斜しているので、凝縮水がより排出し易くなると共に、凝縮水排出フィルタ５１ａを山形に形成することで、異物を異物捕集部４３に導き易く、異物捕集の確実性を高めることができる。
【００９９】
＜実施例１１＞
次に実施例１１を説明する。本実施例では、異物捕集装置４０内の構成が異なるだけであるのでその相違点について説明し、上記実施例と同様な点については説明を省略する。
【０１００】
図１２に示すように、分離板４２ａは、例えば金属製網目状のもの等であり、異物は通過させないが、流入ガス流Ｃ１が裏側へ抜けるフィルタ材で構成される。このように、流入ガス流Ｃ１が、フィルタ材で構成された分離板４２ａを抜けるので、低圧ＥＧＲガスの流通は阻害されず、圧力損失の増大を軽減できる。
【０１０１】
異物捕集部４３は、分離板４２ａの図示左側部に、ポケット状にぶら下がっている。異物捕集部４３は、フィルタ４４を図示左側側壁部とし、容器４１の側面を紙面垂直方向端側壁部とし、上流側側部には側壁を設けて上流側側壁部５２とし、図示右側部に入口が設けられている。入口には、当該入口に異物が流入し易いように、傾斜板５３が配置されている。
【０１０２】
ガス流通通路４５は、異物捕集部４３の周りの隙間を用いて形成される。異物捕集部４３及びガス流通通路４５は、分離板４２ａに対して同じ図示左方向に設けられている。ここで、異物捕集部４３がガス流通通路４５よりも図示右側である。これにより、分離板４２ａに衝突した流入ガス流Ｃ１から派生した異物捕集部流通ガス流Ｃ２及び迂回ガス流Ｃ３は、容器４１内で一旦図示左方向を向きその後図示右方向を向くような流れで、異物捕
集部流通ガス流Ｃ２が右層且つ迂回ガス流Ｃ３が左層となるように並列して流通する。
【０１０３】
以上説明した本実施例によると、フィルタ材で構成された分離板４２ａで異物を捕集することができ、分離板４２ａで捕集しきれない異物を異物捕集部４３で捕集することができる。
【０１０４】
＜実施例１２＞
次に実施例１２を説明する。本実施例では、異物捕集装置４０内の構成が異なるだけであるのでその相違点について説明し、上記実施例と同様な点については説明を省略する。本実施例では、異物捕集装置４０は、実施例２に対し容器４１の形状が異なる。
【０１０５】
図１３に示すように、容器４１の底面及びそれにつながる下流側側面の下側は、異物捕集部流通ガス流Ｃ２の流通を阻害しない円弧の曲面となっている。よって、異物捕集部流通ガス流Ｃ２が当該曲面に沿って流通し、異物捕集部流通ガス流Ｃ２の流通が阻害されない。これにより、異物捕集部流通ガス流Ｃ２は、容器４１の内面に衝突して勢いを削がれたり乱流を形成したりすることなく勢いを維持できる。このため、異物をフィルタ４４に押し付ける力が増加し、異物を異物捕集部流通ガス流Ｃ２の乱流で巻き上げてしまうことを防止できる。
【０１０６】
以上説明した本実施例によると、フィルタ４４に捕集された異物が、軽くても、異物捕集部流通ガス流Ｃ２の乱流で巻き上がり迂回ガス流Ｃ３に乗って異物捕集部４３から流出してしまうことがない。
【０１０７】
なお、本実施例では、異物捕集部流通ガス流Ｃ２が容器４１の曲面に沿って流通し、異物捕集部流通ガス流Ｃ２の流通が阻害されないものであったが、これに限られない。迂回ガス流Ｃ３が容器４１の曲面に沿って流通し、迂回ガス流Ｃ３の流通が阻害されないものであってもよい。
【０１０８】
＜実施例１３＞
次に実施例１３を説明する。本実施例では、異物捕集装置４０内の構成が異なるだけであるのでその相違点について説明し、上記実施例と同様な点については説明を省略する。本実施例では、異物捕集装置４０は、実施例１２に対しフィルタ４４の形状が異なる。
【０１０９】
図１４に示すように、フィルタ４４は、下流側が上流側よりも下側となるように傾斜している。よって、異物捕集部４３に導かれた異物は、傾斜に沿って異物捕集部４３のより下流側の懐の深い側へ向かい、異物捕集部４３に留まる。このため、異物が異物捕集部４３から流出し難く、異物を異物捕集部流通ガス流Ｃ２の乱流で巻き上げてしまうことを防止できる。
【０１１０】
以上説明した本実施例によると、フィルタ４４に捕集された異物が、軽くても、異物捕集部流通ガス流Ｃ２の乱流で巻き上がり迂回ガス流Ｃ３に乗って異物捕集部４３から流出してしまうことがない。
【０１１１】
＜実施例１４＞
次に実施例１４を説明する。本実施例では、異物捕集装置４０内の構成が異なるだけであるのでその相違点について説明し、上記実施例と同様な点については説明を省略する。本実施例では、異物捕集装置４０は、低圧ＥＧＲ通路３１を流通する低圧ＥＧＲガスが横方向且つ下流側が一段高くなるように流通する位置に設けられる。
【０１１２】
図１５に示すように、容器４１は、低圧ＥＧＲ通路３１の管径よりも大きく、容器４１
よりも上流側の低圧ＥＧＲ通路３１が容器４１の図示右側側部の図示右下側に接続され、容器４１よりも下流側の低圧ＥＧＲ通路３１が容器４１の図示左側側部の図示左上側に接続されている。そして、低圧ＥＧＲガスが容器４１外では図示右側から図示左側へ横方向に流通し、容器４１内で図示右下方向から図示左上方向へ流通する。
【０１１３】
分離板４２は、容器４１の上流側の低圧ＥＧＲ通路３１から真っ直ぐ突き当たる、容器４１の図示左側側面が兼ねている。
【０１１４】
異物捕集部４３は、容器４１内の低圧ＥＧＲガスの流れ方向上流側から中央部にかけて、容器４１内の図示左側に形成されている。異物捕集部４３は、フィルタ４４を上壁部とし、容器４１の底面を下壁部とし、容器４１の側面を紙面垂直方向端側壁部及び図示左側側壁部とし、図示右側側部に入口が設けられている。フィルタ４４の入口側端部には、当該入口を狭めるように、側壁板５４が配置されている。このため、分離板４２は、異物捕集部４３の図示左側側壁部を兼ね、異物捕集部４３に流入した流入ガス流Ｃ１が分離板４２に衝突する。よって、流入ガス流Ｃ１が分離板４２に衝突する前に異物捕集部４３に流入し、流入ガス流Ｃ１に含まれる異物も初めから異物捕集部４３に導かれるので、異物が異物捕集部４３に留まり易い。
【０１１５】
ここで、異物捕集部４３の図示左下には、容器４１を突出させて異物のみを堆積させる異物堆積部５５を設けてもよい。これによると、異物を分離板４２に衝突する流入ガス流Ｃ１から分離して堆積させることができ、異物が異物捕集部流通ガス流Ｃ２や迂回ガス流Ｃ３で巻き上がり異物捕集部流通ガス流Ｃ２や迂回ガス流Ｃ３に乗って異物捕集部４３から流出してしまうことがない。
【０１１６】
フィルタ４４は、異物捕集部４３の上壁部に設けられている。フィルタ４４は、例えば金属製網目状のもの等であり、異物は通過させないが、分離板４２に衝突した流入ガス流Ｃ１から派生して異物捕集部４３を流通する異物捕集部流通ガス流Ｃ２が異物捕集部４３外へ抜ける。本実施例では、フィルタ４４が異物捕集部４３の上壁部に設けられているので、異物捕集部流通ガス流Ｃ２は、異物捕集部４３から上方向に抜ける。このため、異物捕集部４３に導かれた多くの異物は、重いため浮き上がらず、上方向に向かう異物捕集部流通ガス流Ｃ２から分離して異物捕集部４３の底に堆積する。また、異物捕集部４３に導かれた少しの異物が、上方向に向かう異物捕集部流通ガス流Ｃ２に乗っても、フィルタ４４に阻まれ異物捕集部４３に留まる。このように、フィルタ４４で異物を捕集する量が少ないので、フィルタ４４が目詰まりせず、異物捕集部流通ガス流Ｃ２の勢いが削がれ難く、低圧ＥＧＲガスの流通は阻害されず、圧力損失の増大を軽減できる。
【０１１７】
ガス流通通路４５は、図示左下側の異物捕集部４３の周りの隙間を用いて形成される。ガス流通通路４５では、流入ガス流Ｃ１から派生して分離板４２及び異物捕集部４３を迂回した迂回ガス流Ｃ３が、下方の容器４１の上流側の低圧ＥＧＲ通路３１から上方の容器４１の下流側の低圧ＥＧＲ通路３１へ流通する。
【０１１８】
異物捕集部４３及びガス流通通路４５は、分離板４２に対して同じ図示右方向に設けられている。ここで、ガス流通通路４５が異物捕集部４３よりも図示右側である。これにより、流入ガス流Ｃ１から派生した異物捕集部流通ガス流Ｃ２及び迂回ガス流Ｃ３は、容器４１内で左上方向を向くような流れで、迂回ガス流Ｃ３が右層且つ異物捕集部流通ガス流Ｃ２が左層となるように並列して流通する。
【０１１９】
以上説明した本実施例によると、流入ガス流Ｃ１が異物捕集部４３に流入し、流入ガス流Ｃ１に含まれる異物も初めから異物捕集部４３に導かれ、異物捕集部４３内で分離板４２に衝突するので、異物が異物捕集部４３に留まり易く、異物捕集の確実性を高めること
ができる。
【０１２０】
本発明に係る低圧ＥＧＲ通路用異物捕集装置は、上述の実施例に限定されるものではなく、本発明の要旨を逸脱しない範囲内において種々の変更を加えてもよい。
【符号の説明】
【０１２１】
１     内燃機関
４     吸気通路
５     排気通路
６     ターボチャージャ
６ａ   コンプレッサ
６ｂ   タービン
１０   ＥＣＵ
３０   低圧ＥＧＲ装置
３１   低圧ＥＧＲ通路
３２   低圧ＥＧＲ弁
３３   低圧ＥＧＲクーラ
４０   異物捕集装置
４１   容器
４２   分離板
４２ａ 分離板（フィルタ材製）
４２ｂ 上流側分離板（目の粗いフィルタ材製）
４２ｃ 下流側分離板（目の細かいフィルタ材製）
４３   異物捕集部
４４   フィルタ
４５   ガス流通通路
５０   段差
５１   凝縮水排出フィルタ
５１ａ 凝縮水排出フィルタ（山形）
５５   異物堆積部
Ｃ１   流入ガス流
Ｃ２   異物捕集部流通ガス流
Ｃ３   迂回ガス流
【図１】
2010242662.tif 000003
【図２】
2010242662.tif 000004
【図３】
2010242662.tif 000005
【図４】
2010242662.tif 000006
【図５】
2010242662.tif 000007
【図６】
2010242662.tif 000008
【図７】
2010242662.tif 000009
【図８】
2010242662.tif 000010
【図９】
2010242662.tif 000011
【図１０】
2010242662.tif 000012
【図１１】
2010242662.tif 000013
【図１２】
2010242662.tif 000014
【図１３】
2010242662.tif 000015
【図１４】
2010242662.tif 000016
【図１５】
2010242662.tif 000017